(57)【要約】【課題】部品点数の増加によるコストアップを招くことなく、簡単な構造で蓋開閉機構の電気的なグランド接続を安定して行うことができる仕組みを提供する。【解決手段】電子機器の蓋ユニットは、蓋カバー１２１と、蓋カバー１２１に対して付勢力をもって当接する第１弾性部１２２ａを有する導電性ベース部材１２２と、機器本体１０１のグランド電位となる部分と電気的に接続され、導電性ベース部材１２２を機器本体１０１に対して開閉方向に回動可能に支持する回動軸１２４と、導電性ベース部材１２２に当接して電気的に接続されるとともに、回動軸１２４に対して付勢力をもって当接する第２弾性部１２３ａを有する導電性移動部材１２３と、を備える。蓋カバー１２１、及び導電性移動部材１２３は、第２弾性部１２３ａが回動軸１２４に当接した状態で導電性ベース部材１２２に対して一体的に移動可能に設けられる。【選択図】図６
2016004061.tif 000002
【特許請求の範囲】
【請求項１】
機器本体に対して開閉方向に回動可能に支持される蓋ユニットを備える電子機器において、
前記蓋ユニットは、
閉状態で前記機器本体の外装の一部を形成する蓋カバーと、
前記蓋カバーの裏面側に配置され、前記蓋カバーに対して付勢力をもって当接する第１弾性部を有する導電性ベース部材と、
前記機器本体のグランド電位となる部分と電気的に接続され、前記導電性ベース部材を前記機器本体に対して前記開閉方向に回動可能に支持する回動軸と、
前記蓋カバーの裏面側に配置され、前記導電性ベース部材に当接して電気的に接続されるとともに、前記回動軸に対して付勢力をもって当接する第２弾性部を有する導電性移動部材と、を備え、
前記蓋カバー、及び前記導電性移動部材は、前記第２弾性部が前記回動軸に当接した状態で前記導電性ベース部材に対して前記導電性ベース部材に沿って一体的に移動可能に設けられることを特徴とする電子機器。
【請求項２】
前記第１弾性部は、前記蓋カバーの裏面に形成されたクリック溝に係合して、前記蓋カバー及び前記導電性移動部材が移動する際にクリック力を発生させ、
前記第２弾性部は、前記蓋カバー及び前記導電性移動部材が移動する際に、前記回動軸を乗り越えてクリック力を発生させることを特徴とする請求項１に記載の電子機器。
【請求項３】
前記第１弾性部、及び前記第２弾性部は、前記蓋カバーの中央部に対して前記蓋カバー、及び前記導電性移動部材の移動方向に互いに対向する位置に配置されることを特徴とする請求項１又は２に記載の電子機器。
【請求項４】
前記第１弾性部の付勢力は、前記第２弾性部の付勢力に比べて大きいことを特徴とする請求項１乃至３のいずれか一項に記載の電子機器。
【発明の詳細な説明】
【技術分野】
【０００１】
本発明は、例えばデジタルカメラやデジタルビデオカメラ等の撮像装置を含む電子機器に関し、特に蓋の開閉機構を有する電子機器に関する。
【背景技術】
【０００２】
デジタルカメラ等の撮像装置を含む電子機器では、静電気などのノイズが外部から侵入した場合でも、機器が破損したり異常動作が起きたりしないよう様々な配慮がなされている。特にグランドに接続されていない金属部品に静電気が印加された場合は、静電気が一定量帯電した後に他の電気部品やプリント配線基板などに２次放電を起こすことがある。この際に発生する予期せぬ電気的なノイズにより、機器の破損や異常動作を起こす可能性がある。電池蓋等の蓋開閉機構に関しても同様であり、例えば、電池蓋を構成する板金を開方向に付勢するコイルバネを利用して電気的なグランド接続を行う技術が提案されている（特許文献１）。
【先行技術文献】
【特許文献】
【０００３】
【特許文献１】特開２０１０−０４９１７７号公報
【発明の概要】
【発明が解決しようとする課題】
【０００４】
上記特許文献１では、電池蓋を構成する板金を開方向に付勢するコイルバネを利用して電池蓋の開閉機構の電気的なグランド接続を行っている。しかし、コイルバネを用いると、コイルバネの組み込み性が悪く、また、コイルバネによる部品点数の増加によりコストアップを招く問題がある。
【０００５】
そこで、本発明は、部品点数の増加によるコストアップを招くことなく、簡単な構造で蓋開閉機構の電気的なグランド接続を安定して行うことができる仕組みを提供することを目的とする。
【課題を解決するための手段】
【０００６】
上記目的を達成するために、本発明は、機器本体に対して開閉方向に回動可能に支持される蓋ユニットを備える電子機器において、前記蓋ユニットは、閉状態で前記機器本体の外装の一部を形成する蓋カバーと、前記蓋カバーの裏面側に配置され、前記蓋カバーに対して付勢力をもって当接する第１弾性部を有する導電性ベース部材と、前記機器本体のグランド電位となる部分と電気的に接続され、前記導電性ベース部材を前記機器本体に対して前記開閉方向に回動可能に支持する回動軸と、前記蓋カバーの裏面側に配置され、前記導電性ベース部材に当接して電気的に接続されるとともに、前記回動軸に対して付勢力をもって当接する第２弾性部を有する導電性移動部材と、を備え、前記蓋カバー、及び前記導電性移動部材は、前記第２弾性部が前記回動軸に当接した状態で前記導電性ベース部材に対して前記導電性ベース部材に沿って一体的に移動可能に設けられることを特徴とする。
【発明の効果】
【０００７】
本発明によれば、部品点数の増加によるコストアップを招くことなく、簡単な構造で蓋開閉機構の電気的なグランド接続を安定して行うことができる。
【図面の簡単な説明】
【０００８】
【図１】（ａ）は本発明の電子機器の実施形態の一例であるレンズ交換式のデジタルカメラを正面側から見た斜視図、（ｂ）は（ａ）に示すデジタルカメラを背面側から見た斜視図である。
【図２】図１（ｂ）に示すデジタルカメラの分解斜視図である。
【図３】（ａ）は電池ボックスユニットの斜視図、（ｂ）は（ａ）の状態から電池蓋ユニットをスライド操作した状態を示す斜視図である。
【図４】図３（ｂ）の状態から電池蓋ユニットを開方向に回動操作した状態を示す斜視図である。
【図５】電池蓋ユニットの分解斜視図である。
【図６】（ａ）は閉状態の電池蓋ユニットを裏面側から見た斜視図、（ｂ）は（ａ）のＤ−Ｄ線断面図である。
【図７】（ａ）は図６（ａ）の状態から蓋カバーをスライド操作した状態を示す斜視図、（ｂ）は（ａ）のＤ−Ｄ線断面図である。
【図８】電池蓋ユニットの回動軸の周辺を破断した側面図である。
【発明を実施するための形態】
【０００９】
以下、図面を参照して、本発明の実施形態の一例を説明する。
【００１０】
図１（ａ）は本発明の電子機器の実施形態の一例であるレンズ交換式のデジタルカメラを正面側から見た斜視図、図１（ｂ）は図１（ａ）に示すデジタルカメラを背面側から見た斜視図である。
【００１１】
本実施形態のデジタルカメラは、図１に示すように、カメラ本体１０１の正面側に、レンズ鏡筒１０２、及びカメラ本体１０１に対してレンズ鏡筒１０２を着脱するためのアンロックボタン１０３等が設けられる。カメラ本体１０１の上面部には、レリーズボタン１０４及び電源ボタン１０５等が設けられ、カメラ本体１０１の背面部には、表示ユニット１０６及び各種操作ボタン群１０７が設けられる。カメラ本体１０１は、本発明の機器本体の一例に相当する。
【００１２】
図２は、図１（ｂ）に示すデジタルカメラの分解斜視図である。図２に示すように、正面カバー１１０、背面カバー１１１、左右の側面カバー１１２，１１３、及び後述する蓋カバー１２１（図５参照）によりカメラ本体１０１の外装が形成される。カメラ本体１０１の内部構造体１０９は、後述する電池ボックスユニットを有する。
【００１３】
図３（ａ）は、電池ボックスユニットの斜視図である。図３（ａ）に示すように、電池ボックスユニットは、電池１１４を挿抜可能に収納する電池ボックス１１５、及び電池ボックス１１５に収納された電池１１４を排出する排出バネ（不図示）を有する。
【００１４】
電池ボックスユニットの図の正面側上部には、板金部材１１６が設けられ、電池ボックスユニットの図の底部には、電池ボックス１１５に収納された電池１１４を挿抜する際に開閉する電池蓋ユニット１１７が設けられる。図３（ａ）では、電池蓋ユニット１１７は、閉状態とされ、電池ボックス１１５に対してロックされている。また、電池ロックレバー１１８は、電池ボックス１１５に収納された電池１１４を保持し、開閉バネ１１９は、電池ロックレバー１１８を一定方向へ付勢する。シャフト１２０は、電池ロックレバー１１８、及び開閉バネ１１９に嵌合されている。
【００１５】
図３（ｂ）は、図３（ａ）の状態から電池蓋ユニット１１７を矢印Ａ方向へスライド操作した状態を示す斜視図である。図４は、図３（ｂ）の状態から電池蓋ユニット１１７を矢印Ｂ方向（開方向）に回動操作した状態を示す斜視図である。図３（ｂ）の状態で、電池ボックス１１５に対する電池蓋ユニット１１７のロックが解除され、図４の状態では、電池蓋ユニット１１７が開状態で電池ボックス１１５に対して電池１１４の挿抜を行うことが可能になる。
【００１６】
図５は、電池蓋ユニット１１７の分解斜視図である。図５に示すように、電池蓋ユニット１１７は、閉状態でカメラ本体１０１の外装の一部を形成する蓋カバー１２１、蓋カバー１２１の裏面側に配置される板金部材１２２、及び板金部材１２２の裏面側に配置される板金部材１２３を有する。板金部材１２２は、本発明の導電性ベース部材の一例に相当し、板金部材１２３は、本発明の導電性移動部材の一例に相当する。
【００１７】
板金部材１２２には、電池蓋ユニット１１７を図３（ｂ）の矢印Ａ方向へスライド操作した際にクリック力を発生させる第１弾性部１２２ａと、板金部材１２３側に突出する複数の突起部１２２ｂが設けられる。突起部１２２ｂは、例えば半抜き加工等により形成されている。
【００１８】
板金部材１２３には、電池蓋ユニット１１７を図３（ｂ）の矢印Ａ方向へスライド操作した際にクリック力を発生させる第２弾性部１２３ａが設けられる。蓋カバー１２１及び板金部材１２２，１２３には、不図示のカプラのケーブルが挿通するカプラ穴がそれぞれ形成され、蓋カバー１２１のカプラ穴は、カプラ蓋１２５により塞がれる。
【００１９】
また、蓋カバー１２１及び板金部材１２２，１２３は、ビス１２６等によりに一体に締結され、板金部材１２２の軸穴１２２ｃには、回動軸１２４が挿通される。軸穴１２２ｃに挿通された回動軸１２４の両端は、電池ボックス１１５に嵌合され、これにより、電池蓋ユニット１１７が電池ボックス１１５に対して回動軸１２４を中心にして開閉方向に回動可能に支持される。かかる支持状態においては、蓋カバー１２１及び板金部材１２３は、板金部材１２２に対して板金部材１２３に沿って図３（ｂ）の矢印Ａ方向に一体的に移動可能とされている。
【００２０】
図６（ａ）は閉状態の電池蓋ユニット１１７を裏面側から見た斜視図、図６（ｂ）は図６（ａ）のＤ−Ｄ線断面図である。図７（ａ）は図６（ａ）の状態から板金部材１２２に対して蓋カバー１２１及び板金部材１２３を図３（ｂ）の矢印Ａ方向にスライド操作した状態を示す斜視図、図７（ｂ）は図７（ａ）のＤ−Ｄ線断面図である。図８は、電池蓋ユニット１１７の回動軸１２４の周辺を破断した側面図である。
【００２１】
図６（ａ）に示す電池蓋ユニット１１７の閉状態では、板金部材１２２の第１弾性部１２２ａは、図６（ｂ）に示すように、蓋カバー１２１のクリック溝１２１ａに係合している。このとき、第１弾性部１２２ａは、クリック溝１２１ａに向けて付勢力を発生し、その反力により突起部１２２ｂは板金部材１２３側に付勢される。また、第２弾性部１２３ａは、回動軸１２４を蓋カバー１２１との間に挟んだ状態で回動軸１２４を蓋カバー１２１側に付勢する。
【００２２】
このため、板金部材１２２は、板金部材１２３に対して突起部１２２ｂを介して常に当接して電気的に接続され、板金部材１２３は、第２弾性部１２３ａを介して回動軸１２４に常に当接して電気的に接続された状態となる。
【００２３】
一方、図７（ａ）に示す状態では、板金部材１２２の第１弾性部１２２ａは、図７（ｂ）に示すように、蓋カバー１２１のクリック溝１２１ａとクリック溝１２１ｂとの間を乗り越えてクリック溝１２１ｂに係合し、クリック力を発生させる。このとき、第１弾性部１２２ａは、図６と同様に、クリック溝１２１ａに向けて付勢力を発生し、その反力により突起部１２２ｂは板金部材１２３側に付勢される。また、第２弾性部１２３ａは、回動軸１２４を乗り越えてクリック力を発生させ、図６と同様に、蓋カバー１２１との間に挟んだ状態で回動軸１２４を蓋カバー１２１側に付勢する。
【００２４】
図７における板金部材１２２に対する蓋カバー１２１及び板金部材１２３の位置関係は、電池蓋ユニット１１７の開状態と同一である。このため、電池蓋ユニット１１７の開状態及び閉状態共に、板金部材１２２は、板金部材１２３に対して突起部１２２ｂを介して常に当接し、板金部材１２３は、第２弾性部１２３ａを介して回動軸１２４に常に当接した状態となる。
【００２５】
ここで、本実施形態では、第１弾性部１２２ａと第２弾性部１２３ａとは、蓋カバー１２１の中央部に対して蓋カバー１２１及び板金部材１２３の移動方向（スライド方向）に互いに対向する位置に配置される。具体的には、本実施形態では、第１弾性部１２２ａと第２弾性部１２３ａは、蓋カバー１２１の中心を通る対角線上に配置されている。また、第１弾性部１２２ａの付勢力は、第２弾性部１２３ａの付勢力に比べて大きくなっている。そのため、板金部材１２２に対する蓋カバー１２１及び板金部材１２３のスライド操作をスムースに行うことができると共に、第２弾性部１２３ａを回動軸１２４に確実に当接させることができる。
【００２６】
また、図８に示すように、回動軸１２４は、一端が電池ボックス１１５に設けられた板金部材１１６に当接して電気的に導通し、他端が電池ボックス１１５に接着剤１２７等により固定される。板金部材１１６は、カメラ本体１０１の不図示の基板のグランド電位となる部分にビス等により締結されて電気的に接続されている。これにより、従来のように、コイルバネを用いなくても、板金部材１２２，１２３を回動軸１２４及び板金部材１１６を経由して常時電気的に安定してグランド接続させることが可能となる。
【００２７】
以上説明したように、本実施形態では、部品点数の増加によるコストアップを招くことなく、簡単な構造で電池蓋ユニット１１７の開閉機構の電気的なグランド接続を安定して行うことができる。
【００２８】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００２９】
１０１  カメラ本体
１１５  電池ボックス
１１６  板金部材
１１７  電池蓋ユニット
１２１  蓋カバー
１２２，１２３  板金部材
１２２ａ  第１弾性部
１２２ｂ  突起部
１２３ａ  第２弾性部
１２４  回動軸
【図１】
2016004061.tif 000003
【図２】
2016004061.tif 000004
【図３】
2016004061.tif 000005
【図４】
2016004061.tif 000006
【図５】
2016004061.tif 000007
【図６】
2016004061.tif 000008
【図７】
2016004061.tif 000009
【図８】
2016004061.tif 000010